(57)【特許請求の範囲】
【請求項１】
同一のサービスを複数の物理周波数で放送しているデジタル放送システムのデジタル放送受信装置であって、
同一のサービスを放送する複数の物理周波数を示す情報を格納する記憶部と、
デジタル放送からＰＭＴを取得する取得部と、
前記取得部で取得したＰＭＴに基づいて、デジタル放送から所望のサービスのデータを受信する受信部と、
デジタル放送のサービスの受信中に、前記記憶部に格納している情報に基づいて、当該受信中のサービスを放送する物理周波数とは異なる別の物理周波数に切替えて、当該サービスと同一のサービスを受信する場合、前記取得部が取得した当該切替前のサービスのＰＭＴを利用して、前記別の物理周波数で放送しているサービスのデータを受信するように、前記受信部を制御する制御部と、
を具えることを特徴とするデジタル放送受信装置。
【請求項２】
請求項１に記載のデジタル放送受信装置において、
前記受信中のサービスを放送する物理周波数とは異なる別の周波数に切替えて、当該サービスと同一のサービスを受信する場合、
前記制御部は、前記取得部が取得した切替前のサービスのデータを破棄せず、前記別の物理周波数で放送しているサービスのデータとして使用する、
ことを特徴とするデジタル放送受信装置。
【請求項３】
請求項１に記載のデジタル放送受信装置において、
前記物理周波数の各々は、物理チャンネルである、
ことを特徴とするデジタル放送受信装置。
【請求項４】
請求項１に記載のデジタル放送受信装置において、
前記物理周波数の各々は、物理チャンネルおよびＯＦＤＭセグメントを示す情報である、
ことを特徴とするデジタル放送受信装置。
【請求項５】
同一のサービスを複数のサービス識別子でネットワークを介して提供しているデジタル放送システムのデジタル放送受信装置であって、
同一のサービスを提供する複数のサービス識別子を示す情報を格納する記憶部と、
デジタル放送からＰＭＴを取得する取得部と、
前記取得部で取得したＰＭＴに基づいて、デジタル放送から所望のサービスのデータを受信する受信部と、
デジタル放送のサービスの受信中に、前記記憶部に格納している情報に基づいて、当該受信中のサービスを提供するサービス識別子とは異なる別のサービス識別子に切替えて、当該サービスと同一のサービスを受信する場合、前記取得部が取得した当該切替前のサービスのＰＭＴを利用して、前記別のサービス識別子で提供しているサービスのデータを受信するように、前記受信部を制御する制御部と、
を具えることを特徴とするデジタル放送受信装置。
【発明の詳細な説明】
【関連出願へのクロスリファレンス】
【０００１】
本願は、日本国特許出願第２００７−２８２３３５号（２００７年１０月３０日出願）優先権の利益を主張し、これらの全内容を参照により本願明細書に取り込むものとする。
【技術分野】
【０００２】
本発明は、地上デジタル放送を受信して映像・音声コンテンツを表示する放送受信装置に関するものである。
【背景技術】
【０００３】
日本国において運用されている地上デジタルテレビジョン放送は、ＩＳＤＢ−Ｔ（Integrated Services Digital Broadcasting for Terrestrial）方式と呼ばれ、ＯＦＤＭ（Orthogonal Frequency Division Multiplexing)変調方式を採用している。このＩＳＤＢＴ方式は、一つのチャンネルの伝送帯域を１３個のセグメントに分割し、そのうちの１個のセグメント（中央のセグメント番号０）を、携帯電話機やＰＤＡ（Personal Digital Assistant）などの携帯端末用の地上デジタル放送、いわゆる１セグ放送（部分受信階層）に割り当てられている。【０００４】
なお、地上デジタル放送では、映像データや音声データなどはそれぞれ１８８バイトのトランスポート・ストリーム・パケット（TSP:Transport Stream Packet）と呼ばれるパケットに分割される。それらはＭＰＥＧ２−ＴＳ（Transport Stream）形式で時分割に多重化され、トランスポート・ストリーム（ＴＳ）として１つにまとめて放送される。図１１は、ＴＳを説明する概略図である。映像データおよび音声データは、それぞれ１８８バイトのＴＳＰに分割され、多重化されてＴＳとして放送される。各ＴＳＰの４バイトのヘッダには、データの種類およびサービスごとに、ＰＩＤ（Packet ID）と呼ばれる個別の識別情報が付与され、このＰＩＤによって、ＴＳＰがどのサービスの映像データあるいは音声データなのかを判別することができる。【０００５】
ＭＰＥＧ２−ＴＳには、映像データや音声データだけではなく、字幕データやデータ放送、映像や音声の時刻の基準となるＰＣＲ（Program Clock Reference）、放送サービスの番組配列情報ＳＩ（Service Information）などが多重化されている。これら放送サービスに関する情報の中で、ＭＰＥＧ２−ＴＳから所望のサービス（番組）を取得するために必要な情報は、ＰＡＴ（Program Association Table：番組管理情報）とＰＭＴ（Program Map Table：番組対応管理テーブル）の情報である。【０００６】
ここで、ＰＡＴとＰＭＴの関係を説明する。ＰＭＴは、サービスを構成する映像、音声、データ等のストリームを伝送するＴＳＰのＰＩＤを特定するためのテーブルであり、サービスごとに存在する。受信側では、所望の番組に対応するＰＭＴに記述されたＰＩＤを有するＴＳＰを受信して、その番組を再生する。各番組のＰＭＴはＴＳに多重化されており、多重化されたＰＭＴのＰＩＤは、ＰＡＴに格納されている。従って、番組のＰＭＴを受信する際には、ＰＭＴのＰＩＤを格納しているＰＡＴを、予め受信する必要がある。なお、ＰＡＴのＰＩＤは予め規定されており、例えば、ＡＲＩＢ（Association of Radio Industries And Businesses：社団法人電波産業会）では“０ｘ００００”である。なお、１セグ放送では、ＰＡＴは運用されておらず、ＰＩＤが予め“０ｘ１０”に規定されているＮＩＴ（Network Information Table：ネットワーク情報管理テーブル）に含まれるサービスＩＤの下位３ビットの値に、ＰＭＴのＰＩＤが割り振られている。例えば、サービスＩＤの下位３ビットが０の場合、ＰＭＴのＰＩＤは“０ｘ１ＦＣ８”であり、１の場合は“０ｘ１ＦＣ９”である。これれらＰＡＴ，ＰＭＴ、およびＮＩＴを、それぞれ、図１２〜１４に示す。なお、図においてハッチングで強調した箇所は、本発明で特に利用する部分であり、それらについては後述する。【０００７】
また、デジタル放送では、映像と音声の同期再生に、ＰＣＲ（Program Clock Reference），ＰＴＳ（Presentation Time Stamp）等の情報が用いられている。ＰＣＲは、サービス毎に伝送される基準時間に関する情報を含み、受信装置は、ＰＣＲを受信して、自装置のクロックを基準時間に合わせる。また、ＰＴＳは、映像や音声の再生時刻（表示時刻）を示すタイムスタンプである。従って、受信装置は、受信した映像および音声データをバッファしておき、ＰＴＳで指定された、バッファしたデータに関する時刻と、ＰＣＲを受信して調整した自装置のクロックとが一致した時点で、映像および音声を再生している。【０００８】
なお、ユーザが携帯端末で１セグ放送を受信している際には、その性質上、携帯端末を携行して移動することが多く、放送地区をまたぐ機会が往々にしてある。例えば、郊外から都市に通勤・通学しているユーザなどは、自宅と職場・学校とが異なる放送エリアであることも多い。デジタル放送は、地区により放送局のチャンネル（すなわち、周波数）が異なり、同一の番組が異なる周波数で放送されている。従って、異なる放送エリアをまたがるユーザの切替先のチャンネルで、同一のサービスが提供されている場合がある。【０００９】
また最近では、放送局からの電波が届きにくい地域や場所に、アンテナや漏洩ケーブルなどを使用した放送波の再送信が提案されている（ギャップフィラーと呼ばれる。）。この再送信は、上記のＩＳＤＢ−Ｔ方式を採用し、複数の放送局のデジタル放送波を受信して、それぞれ１セグ放送を抜き出し、それらを連結して上記の放送局のチャンネルとは異なる所定のチャンネルで再送信する。すなわち、放送局が放送するサービス（番組）と同一のサービスが、放送局が使用するものとは異なる周波数を用いて放送される。さらに、ＣＳデジタル放送では、地上デジタル放送と同じサービスが別の周波数（すなわち、別チャンネル）で放送されている。またＩＰＴＶでは、地上デジタル放送と同じサービスが、ＩＰベースで、ネットワークを介して放送されている。【００１０】
同一のサービスであれば、そのサービス毎のＰＩＤに関する情報であるＰＡＴおよびＰＭＴも同一である。従って、上述のギャップフィラーまたはＩＰＴＶでは、異なる物理周波数で、あるいは物理周波数を用いないネットワーク方式で、同一のＰＡＴおよびＰＭＴを含むＴＳを放送していることになる。【００１１】
ところで、１セグ放送の映像コンテンツは、Ｈ．２６４で符号化されている。Ｈ．２６４には、映像のフレームのまとまりとして、それだけで１枚のピクチャを復号できるＩＤＲ（Instantaneous Decoding Refresh：デコーダ復号動作の瞬時リフレッシュ）ピクチャと、他のピクチャを参照してから１枚のピクチャを復号できるｎｏｎ−ＩＤＲピクチャがある。従って、ｎｏｎ−ＩＤＲピクチャのみから復号した場合は、参照するピクチャが存在しないために、正常に映像を表示することができない。従って、Ｈ．２６４で符号化された映像コンテンツを復号するには、必ずＩＤＲピクチャから復号する必要がある。【００１２】
なお、ＮＩＴ，ＰＡＴおよびＰＭＴ等の、各サービスに関するテーブル情報である番組配列情報（ＳＩ：Service Information）は、常時送出されているわけではなく、ある一定間隔で送出されている。従って、放送サービスの番組配列情報の受信にはある程度の時間を要し、その結果、所望のサービスへの選局動作、すなわち、ＰＡＴ、ＰＭＴ、ＩＤＲピクチャ等のサービスの再生に必要な情報を受信して、所望のサービスを出力する上述のような処理は、時間がかかることになる。例えば、非特許文献１では、部分受信階層に対するＮＩＴの再送周期は１秒（最大３秒）、ＰＭＴの再送周期は２００ｍｓ（最大５００ｍｓ）と規定されている。さらに、非特許文献２では、部分受信階層の映像のＩピクチャ（ＩＤＲピクチャ）の送出周期（すなわち、ＩＤＲピクチャを含むＴＳＰの送出周期）は通常２秒、最大５秒と規定されている。つまり、選局してから映像や音声を出力するまでに、部分受信階層の通常の運用を例にすれば、最大３．２秒かかることになる。【００１３】
このように、従来では、ユーザが所望の番組を選局してからその番組を視聴するまでの選局動作に時間がかかるという問題がある。従って、スムーズに番組を視聴できないことによるストレスをユーザに感じさせる恐れがある。この問題への対策として、選局時の映像や音声の出力を早くすべく、選局時の直近のＰＭＴを用いて映像や音声を出力する方法が開示されている（非特許文献３を参照されたい。）。また、ＰＭＴを各番組に対応付けて格納し、次回の選局時に当該格納したＰＭＴを用いることで、選局を早くする方法が開示されている（非特許文献４を参照されたい。）。【００１４】
【非特許文献１】ＡＲＩＢの規格  ＴＲ−Ｂ１４  ２．３版第四編第一部１２．４
【非特許文献２】ＡＲＩＢの規格  ＴＲ−Ｂ１４  ２．３版第三編第四部５．１
【非特許文献３】ＡＲＩＢの規格  ＴＲ−Ｂ１４  ２．３版第二編６．３
【特許文献１】特開平１０−２７１４６４号公報
【発明の開示】
【発明が解決しようとする課題】
【００１５】
従来のデジタル放送の選局方法では、チャンネルの切替え後に切替え前のチャンネルの映像・音声が出力されるのを防ぐため、チャンネルを切替える度に、切替え前のチャンネルで受信したデータ（ＰＡＴ，ＰＭＴ等のタイムテーブル，並びに、それらに基づいて受信し、バッファ済みの映像・音声等のデータ）は破棄されている。従って、切替え先のチャンネルで同一のサービスを放送している場合でも、従来では、切替え先のチャンネルで新たにＰＡＴ，ＰＭＴを受信しなおし、それに基づき所望のＰＩＤを有するＴＳＰを受信して、放送を視聴する必要がある。【００１６】
しかしながら、周波数または伝送方式は異なる同じサービスに選局するのに、ＰＡＴ，ＰＭＴを受信しなおしてから映像音声を表示すると、上述した理由により、選局処理（チャンネルを切替えてからの番組の映像表示および音声出力）が遅くなる。また、ＡＲＩＢでは、以前受信した直近のＰＭＴを使用することが推奨されているが、直近のＰＭＴはある物理チャンネルと対応付けられていると想定される（例えば、特許文献１では各番組に対応させている。）。従って、受信間隔が空いて、以前受信した直近のＰＭＴが更新されずに古いものである場合は、そのＰＭＴには現在放送中の映像音声のものとは異なるＰＩＤが格納されている可能性があり、信頼性に欠ける。さらに、切替え前のチャンネルで受信したデータ（番組コンテンツ）は、切替え先のチャンネルと同一サービスでチャンネルを切替えた場合も番組映像の表示や音声出力に利用可能である。それにも係わらず、切替え前のチャンネルで受信したデータ（番組コンテンツ）は、チャンネルを切替えた際に利用されずに破棄され、選局処理の遅延への対処に利用されていなかった。【００１７】
従って、本発明の目的は、デジタル放送の受信装置において受信中のチャンネルと同一のサービスを放送しているチャンネルに切替える際の選局処理を、より速くする技法（装置および方法）を提供することにある。
【課題を解決するための手段】
【００１８】
上述した諸課題を解決すべく、本発明によるデジタル放送受信装置は、同一のサービス（番組）を複数の物理周波数で放送しているデジタル放送システムのデジタル放送受信装置であって、同一のサービスを放送する複数の物理周波数を示す情報（サービスと物理周波数とを対応付けたテーブル）を格納する記憶部と、デジタル放送からＰＭＴ（Program Map Table）を（ＰＡＴまたはＮＩＴから）取得する取得部と、前記取得部で取得したＰＭＴに基づいて、デジタル放送から所望のサービスのデータ（映像・音声・文字放送データ）を受信する受信部と、（前記取得部で取得したＰＭＴおよび前記受信部で受信したデータを格納するバッファと、）デジタル放送のサービスの受信中に、前記記憶部に格納している情報に基づいて、当該受信中のサービスを放送する物理周波数とは異なる別の物理周波数に切替えて、当該サービスと同一のサービスを受信する場合、前記取得部が取得した（前記バッファに格納されている）当該切替前のサービスのＰＭＴを利用して、前記別の物理周波数で放送しているサービスのデータを受信するように、前記受信部を制御する制御部とを具えることを特徴とする。
【００１９】
また、本発明の一実施態様によるデジタル放送受信装置は、前記受信中のサービスを放送する物理周波数とは異なる別の周波数に切替えて、当該サービスと同一のサービスを受信する場合、前記制御部は、前記取得部が取得した（前記バッファに格納されている）切替前のサービスのデータを破棄せず、前記別の物理周波数で放送しているサービスのデータとして使用することを特徴とする。
【００２０】
また、前記物理周波数の各々を、物理チャンネルとすることが好適である。また、前記物理周波数の各々を、物理チャンネルおよびセグメントを示す情報とすることが好適である。【００２１】
また、本発明のさらなる実施態様によるデジタル放送受信装置は、同一のサービス（番組）を複数のサービス識別子でネットワークを介して提供しているデジタル放送システムのデジタル放送受信装置であって、同一のサービスを提供する複数のサービス識別子（ＵＲＬ等）を示す情報（サービスとサービス識別子とを対応付けたテーブル）を格納する記憶部と、デジタル放送からＰＭＴ（Program Map Table）を（ＰＡＴまたはＮＩＴから）取得する取得部と、前記取得部で取得したＰＭＴに基づいて、デジタル放送から所望のサービスのデータ（映像・音声・文字放送データ）を受信する受信部と、（前記取得部で取得したＰＭＴおよび前記受信部で受信したデータを格納するバッファと、）デジタル放送のサービスの受信中に、前記記憶部に格納している情報に基づいて、当該受信中のサービスを提供するサービス識別子とは異なる別のサービス識別子に切替えて、当該サービスと同一のサービスを受信する場合、前記取得部が取得した（前記バッファに格納されている）当該切替前のサービスのＰＭＴを利用して、前記別のサービス識別子で放送しているサービスのデータを受信するように、前記受信部を制御する制御部とを具えることを特徴とする。
【００２２】
上述したように本発明の解決手段を装置として説明してきたが、本発明はこれらに実質的に相当する方法、プログラム、プログラムを記録した記憶媒体としても実現し得るものであり、本発明の範囲にはこれらも包含されるものと理解されたい。【００２３】
例えば、本発明を方法として実現させた、別の実施態様によるデジタル放送受信装置の制御方法は、同一のサービス（番組）を複数の物理周波数で放送しているデジタル放送システムのデジタル放送受信装置の制御方法であって、同一のサービスを放送する複数の物理周波数を示す情報（サービスと物理周波数とを対応付けたテーブル）を格納するステップと、デジタル放送からＰＭＴ（Program Map Table）を（ＰＡＴまたはＮＩＴから）取得するステップと、前記取得部で取得したＰＭＴに基づいて、デジタル放送から所望のサービスのデータ（映像・音声・文字放送データ）を受信するステップと、（前記取得部で取得したＰＭＴおよび前記受信部で受信したデータを格納するステップと、）デジタル放送のサービスの受信中に、前記記憶部に格納している情報に基づいて、当該受信中のサービスを放送する物理周波数とは異なる別の物理周波数に切替えて、当該受信中のサービスと同一のサービスを受信する場合、前記取得部が取得した（前記バッファに格納されている）当該受信中のサービスのＰＭＴを利用して、前記別の物理周波数で放送している当該受信中のサービスと同一のサービスのコンテンツを受信するように、前記受信部を制御するステップとを含むことを特徴とする。なお、各ステップの計算や処理には、演算手段（ＣＰＵ，ＤＳＰ，ＭＰＵなどのプロセッサ）を必要に応じて使用することができる。
【発明の効果】
【００２４】
本発明によれば、受信中のチャンネルと同一のサービスを放送しているチャンネルに切替える際に、切替え先のチャンネルへの選局処理（すなわち、サービスのコンテンツのユーザへの提供）を、従来手法と比べてより速く行うことが可能となる。
【図面の簡単な説明】
【００２５】
【図１】本発明が適用される受信装置およびこれに放送波を提供する放送装置から構成される放送システムの構成図である。
【図２】放送装置３００が送信するチャンネルのセグメント構成を示す図である。
【図３】本発明の一実施態様による受信装置のブロック図である。
【図４】１セグ放送の受信端末における、一般的な通常の選局処理を示すフローチャートの一例である。
【図５】本発明による受信装置１００の受信処理のフローチャートである。
【図６】本発明による受信処理のバッファ重複処理のフローチャートである。
【図７】第１のチャンネルテーブルを示す図である。
【図８】第２のチャンネルテーブルを示す図である。
【図９】データが出力されるまでの所要時間を模式的に説明する図である。
【図１０】従来技術による受信装置の受信処理を示すフローチャートである。
【図１１】ＴＳの概略図である。
【図１２】ＰＡＴの概略図である。
【図１３】ＰＭＴの概略図である。
【図１４】ＮＩＴの概略図である。
【符号の説明】
【００２６】
１００  受信装置
１１０  受信部
１２０  記憶部
１３０  セクション解析部
１４０  制御部
１５０  メモリ
１６０  復号部
１６２  映像復号部
１６４  音声復号部
１６６  字幕復号部
１７０  データ放送処理部
１８０  分離部
１９０  音声出力部
２００，３００，４００  放送装置
ＡＮＴ  アンテナ
ＤＩＳ  表示部
Ｌ１〜Ｌ６  チャンネルテーブル
【発明を実施するための最良の形態】
【００２７】
図１は、本発明が適用される受信装置およびこれに放送波を提供する放送装置から構成される放送システムの構成図である。図に示すように、この放送システムは、受信装置１００、および放送装置２００，３００，４００から構成される。放送装置２００，４００は、一般的なデジタル放送システムの放送装置であり、１セグメント放送（１セグ放送）、即ち、１セグメント単独で受信可能である部分受信用のセグメントを使用したデジタル放送、および１２セグメントを使用した地上波テレビ用のデジタル放送を行っている。本デジタル放送システムでは、放送装置２００と放送装置３００とが、同一のサービスを放送しているが、放送装置２００が使用している物理周波数帯域と、放送装置３００が使用している物理周波数帯域とは異なるものである。即ち、放送装置２００から放送されるサービスの全て或いは一部が、放送装置３００から、放送装置２００が使用する物理周波数帯域とは別の物理周波数帯域を用いて放送される。本発明による受信装置１００は、放送装置２００がカバーする受信エリア内では、放送装置２００から放送されるデジタル放送を受信することが可能である。受信装置１００が、例えば、地下街などに入った場合に、放送装置２００からのデジタル放送が弱電界や圏外になり、受信継続が困難になる。逆に、地下街から地上に出て、放送装置３００からのデジタル放送が弱電界や圏外になり、受信継続が困難になる場合も発生する。このような場合は、受信装置１００は、放送装置２００のデジタル放送の受信と、放送装置３００のデジタル放送の受信とを、チャンネルテーブルに基づいて、シームレスに切替える。この詳細については後で説明する。【００２８】
或いは、受信装置１００が、例えば、放送装置２００から遠く離れてデジタル放送が弱電界や圏外になり、受信継続が困難になり、放送装置４００がカバーするエリアに入るケースも発生する。このような場合にも、受信装置１００は、放送装置２００のデジタル放送の受信と、放送装置４００のデジタル放送の受信とを、地域別のチャンネルテーブルを介してシームレスに切替える。【００２９】
図２は、放送装置３００が送信するチャンネルのセグメント構成を示す図である。通常の放送局である放送装置２００は、図の上段に示すように、物理チャネル毎の中央のセグメント番号０を部分受信用のセグメントである１セグ放送に使用している。放送装置３００は、部分受信用のセグメント番号０の各サービスを１つの物理チャンネル内で連結して放送する。なお、図２の下段のセグメント７が未使用であるように、各サービス（チャンネル）は完全に隙間なく連結しなくてもよい。【００３０】
図３は、本発明の一実施例による放送受信装置のブロック図である。放送受信装置１００としては、携帯端末、ＰＤＡ等を適用することができ、本実施例では、１セグ放送を受信可能な携帯端末を想定して説明する。図３に示すように、受信装置１００は、アンテナＡＮＴ、受信部１１０、記憶部１２０、セクション解析部１３０、制御部１４０、メモリ１５０、復号部１６０、データ放送処理部１７０、分離部１８０、音声出力部１９０、および表示部ＤＩＳを具える。復号部１６０は、映像復号部１６２、音声復号部１６４、および字幕復号部１６６を具える。【００３１】
各構成部の機能の説明とともに、受信装置１００による選局処理について説明する。制御部１４０は、ユーザからの選局指示（チャンネル指定命令）に基づき、指示されたチャンネルの周波数のＲＦ信号を受信するように受信部１１０を制御する。受信部１１０は、制御部１４０の制御を受け、指定されたチャンネルの周波数のＲＦ信号（放送波）をアンテナＡＮＴで受信する。このＲＦ信号は、例えば、放送（送信）装置２００，３００，４００から放送（送信）される。受信部１１０はさらに、受信したＲＦ信号を周波数変換し、周波数変換した信号を復調して、ＭＰＥＧ２−ＴＳとする。分離部１８０は、復調されたＴＳに多重化されているＮＩＴを受信（取得）し、このＮＩＴからサービスＩＤを取得し、サービスＩＤの下位３ビットからＰＭＴのＰＩＤを求める。その後、このＰＭＴに記述されているＰＩＤを有するＴＳＰをフィルタリングして、当該ＴＳからＴＳＰを取り出す。すなわち、分離部１８０は、指定されたチャンネルのサービスを構成する映像、音声、データ放送、および字幕のデータ、並びに、番組配列情報（ＳＩ）を有するセクションを含むＴＳＰを、ＴＳから抽出する。さらに、分離部１８０は、抽出した各ＴＳＰを、メモリ（バッファ）１５０に格納する。なお、メモリ１５０は、記憶部１２０に含める事も出来る。【００３２】
分離部１８０から抽出された各データは、それぞれ、映像復号部１６２、音声復号部１６４、データ放送処理部１７０、字幕復号部１６６、およびセクション解析部１３０に出力される。音声復号部１６４は、音声データを含むＴＳＰを復号して、復号した音声を、音声出力部１９０（スピーカまたはイヤホン）に出力する。映像復号部１６２は、映像データを復号し、復号された映像コンテンツを、表示部ＤＩＳへ出力する。データ放送処理部１７０は、データ放送のデータを処理して画面表示用のフォーマットにし、当該データ放送のコンテンツを、表示部ＤＩＳへ出力する。また、データ放送処理部１７０は、データ放送に含まれるスクリプトの処理も行う。字幕処理部１６６は、字幕データを画面表示用のフォーマットにし、字幕コンテンツを表示部ＤＩＳに出力する。制御部１４０は、復号部１６０およびデータ放送処理部１７０から出力された各コンテンツを用いて、受信中のサービスで提供されている画像および音声を構成し、ＴＳから予め受信したＰＴＳに基づいて各画像および音声等を同期させ、表示部ＤＩＳおよび音声出力部１９０（スピーカまたはイヤホン）から出力するように制御する。記憶部１２０は、物理周波数とサービスとの対応表（チャンネルテーブル）を格納している。このチャンネルテーブルについては後述する。【００３３】
ここで、上述した受信装置１００の選局処理（指定されたチャンネルのサービスをユーザへ提示する処理）を、フローチャートに基づき説明する。図４は、本発明の一実施例による受信装置１００の選局処理を簡単に説明するフローチャートである。まず、受信装置１００は、ユーザの選局指示（チャンネル指定命令）、または、チャンネルスキャンなどの受信装置固有の機能による選局指示を受け処理を開始する。ステップＳ１１で、受信部１１０は、選局指示に基づく制御部１４０の制御を受け、指定されたチャンネルを放送する放送波の受信を開始する。受信部１１０は、受信した放送波の周波数変換および復調を経て、ＴＳを取り出す。次に、ステップＳ１２にて、受信部１１０は、ＴＳに多重化されているＮＩＴを受信し、メモリ１５０に格納する。ステップＳ１３にて、セクション解析部１３０は、受信したＮＩＴに記述されているサービスＩＤの下位３ビットから、ＰＭＴのＰＩＤを算出する。その後、分離部１８０は、ステップＳ１４にて、算出したＰＩＤを有するＰＭＴをＴＳからフィルタリングして取得（受信）し、メモリ１５０に格納する。ステップＳ１５にて、分離部１８０は、受信したＰＭＴに記述されている、指定されたチャンネルのサービスを構成する映像、音声等のデータを含むＴＳＰのＰＩＤを抽出し、抽出したＰＩＤに基づいて、ＴＳからＴＳＰを抽出する。なお、抽出したＴＳＰは、メモリ１５０に格納するか、あるいは復号部１６０へ直接出力する。ステップＳ１６にて、復号部１６０の映像復号部１６２、音声復号部１６４および字幕復号部１６６、並びに、データ放送処理部１７０が、分離部１８０から出力されたＴＳＰから各コンテンツを復号し、制御部１４０が、表示部ＤＩＳおよび音声出力部１９０（スピーカ等）を制御して、映像、音声、字幕およびデータ放送のコンテンツを提示（出力）する。【００３４】
本発明の一実施例による受信装置１００に特徴的な、１セグ放送のサービスの受信処理を説明する前に、ここで、チャンネルテーブルについて説明する。図７は、第１のチャンネルテーブルを示す図である。図に示すように、チャンネルテーブル（チャンネルリスト）はエリア別にあり、この例では、関東用チャンネルテーブルＬ１、中部用チャンネルテーブルＬ２、関西用チャンネルテーブルＬ３がある。ここでは、物理周波数は、周波数（物理チャンネル）そのもので規定されている。また、ネットワークを介したＩＰＴＶ等でのデジタル放送の受信形態の場合は、物理周波数は、サービス識別子（サーバアドレス等）で規定されている。例えば、関東用チャンネルテーブルＬ１の放送局ＭＨＫは、論理チャンネル（チャンネル番号）１であり、この論理チャンネル１には、関東の放送装置（親局、放送装置２００に相当する）の周波数５７５ＭＨｚ、親局と同一サービスを放送する放送装置（放送装置３００に相当する）の周波数７１３ＭＨｚが、それぞれ関連付けられている。この例の放送装置３００は、別個の物理周波数（物理チャンネル）で、各論理チャンネル用のサービス（番組）を放送している。また、放送装置３００がネットワークを介したデジタル放送の送信を行っている場合は、サービス識別子と、親局の周波数とを対応付けている。例えば、放送局ＭＨＫの親局周波数５７５ＭＨｚには、サービス識別子「ＸＸＸ」が対応している。【００３５】
図８は、第２のチャンネルテーブルを示す図である。図に示すように、チャンネルテーブル（チャンネルリスト）はエリア別にあり、この例では、関東用チャンネルテーブルＬ４、中部用チャンネルテーブルＬ５、関西用チャンネルテーブルＬ６がある。ここでは、物理周波数は、物理チャンネルとセグメントとのセットで規定されている。例えば、関東用チャンネルテーブルＬ４の放送局ＭＨＫは、論理チャンネル（チャンネル番号）１であり、この論理チャンネル１には、関東の放送装置（親局、放送装置２００に相当する）の物理チャンネル２５とセグメント番号０とのセット、関東と同一サービスを放送する放送装置（放送装置３００に相当する）の物理チャンネル５０とセグメント番号３とのセットが、それぞれ関連付けられている。この例の放送装置３００は、物理チャンネル５０に、複数の部分受信可能なセグメントを連結して放送している。また、放送装置３００がネットワークを介したデジタル放送の送信を行っている場合は、図７と同様に、サービス識別子と、親局の物理チャンネルとを対応付けている。【００３６】
図７や図８のように、１つの論理チャンネルに、複数の放送局から送信される複数の物理周波数を示す情報（物理チャンネルとセグメント番号とのセット）やサービス識別子を関連付けておけば、放送局や受信する周波数が変化しても、同一サービスに対して、画面表示上は同じ論理チャンネルの番号が表示されることとなる。【００３７】
次に、本発明の一実施例による受信装置１００に特徴的な、１セグ放送のサービスの受信処理を説明する。図５は、本発明の一実施例による受信装置１００の受信処理のフローチャートである。まず、受信装置１００は、ユーザの指示を受けて放送波を受信するアプリケーション（テレビ視聴等）を起動すると、図４で説明した選局処理を行う（ステップＳ２１）。その後、ユーザから、新たなチャンネルへ切替える指示を受ける（ステップＳ２２）。制御部１４０は、ステップＳ２３にて、記憶部１２０に格納している対応表（チャンネルテーブル）に基づき、切替え先のチャンネルで放送するサービスが、今まで切替え前のチャンネルで受信していたサービス（番組）と同じサービス（番組）であるか否かを判定する。この判定は、切替える前後のチャンネルのサービス名が同じであるか否かで判定することができる。具体的に、図７のチャンネルテーブルを用いて説明する。例えば、切替え前のチャンネルが５８３［ＭＨｚ］、切替え後のチャンネルが７１３［ＭＨｚ］であった場合、これらのチャンネルで放送されているサービスは「ＭＨＫ」で、サービス名（Service_id）が同じであり、制御部１４０は、切替える前後のチャンネルが同一サービスを放送していると判定する。【００３８】
図５のフローチャートへ戻り説明を続ける。ステップＳ２３で、切替え先のチャンネルが切替え前のチャンネルと同じサービス（番組）であると判定された場合は、ステップＳ２４およびステップＳ２６へ進む。説明の便宜上、これ以降の処理が並列に行われることを示すため、ステップＳ２３以降のフローを分岐させている。ステップＳ２４にて、受信部１１０は、切替え先のチャンネルの放送波の受信を開始し、受信した放送波の周波数変換および復調を経て、ＴＳを取り出す。ステップＳ２４と並行して、ステップＳ２６にて、受信部１１０は、切替え前のチャンネルで受信済みのデータをデコードし、映像、音声、字幕、データ放送を表示する。すなわち、映像復号部１６２、音声復号部１６４、字幕復号部１６６、およびデータ放送処理部１７０が、受信済みのＴＳＰから各データを復号し、制御部１４０が、表示部ＤＩＳおよび音声出力部１９０（スピーカ等）を制御して、映像、音声、字幕およびデータ放送のコンテンツを提示（出力）する。なお、制御部１４０は、切替え前のチャンネルで受信し切替え先のチャンネルと同一のサービスを受信する際にデコード処理が終了している、ＰＴＳで指定された表示時刻になるのを待機していたピクチャ（表示待ちピクチャ）がバッファ内にある場合は、このピクチャも表示する。【００３９】
なお、ステップＳ２４の後、ステップＳ２５で、これ以降に説明するバッファ重複処理を行う。図６は、本発明の一実施例による受信処理のバッファ重複処理のフローチャートである。本発明の一実施例による受信装置１００は、チャンネルの切替え前後で放送しているサービスが同一であった場合に、従来のように切替え前に受信してデコード処理を終了し、バッファしてある各データ（ＰＡＴ，ＰＭＴ等のタイムテーブル、および、それらに基づいて受信した、デコード済みの映像・音声等のデータ）を破棄せず、それら各データを用いて、サービスの映像、音声等を出力するものである。これら各データは、例えば、図１２〜１４に示すＰＡＴ，ＰＭＴおよびＮＩＴの概略図においてハッチングにて強調した部分に含まれている。このとき、受信装置１００は、切替え先のチャンネルで、切替え前にバッファした出力待ちのデータと同一のデータを新たに受信した場合は、その新たに受信したデータを破棄する。この処理を、ここでは「バッファ重複処理」と呼ぶ。【００４０】
まず、切替え前のチャンネルと同一のサービスを提供している、他のチャンネルまたは他の伝送方式のチャンネルが選局されると、バッファ重複処理が開始される。ステップＳ３１にて、セクション解析部１３０は、それまでに受信したサービスに関するデータ（映像、音声、字幕、データ放送、番組配列情報ＳＩ等）を破棄せず、その受信済みの番組配列情報ＳＩ（ＮＩＴ，ＰＭＴ等）に基づき、切替え前のチャンネルと同一のサービスを提供している、切替え先の他のチャンネルのデータを受信する（ステップＳ３１）。すなわち、受信部１１０は、受信済みのＰＭＴに記述されているＰＩＤを有するＴＳＰを受信する。次に、ステップＳ３２にて、制御部１４０は、ステップＳ３１にて受信したデータと同じデータが、すでに受信済みのバッファされたデータ内にあるか否かを判定する。同じデータがあると判定された場合はステップＳ３３へ進み、制御部１４０は、受信した同じデータを破棄して、次のデータを受信すべくステップＳ３１へ戻る。ステップＳ３２にて、同じデータがないと判定された場合は、ステップＳ３４にて、制御部１４０は、受信中のデータのバッファリングを開始し、その後、図５のステップＳ２７へ戻る。ステップＳ２７にて、制御部１４０は、ステップＳ３４（図６）でバッファリングを開始したデータを用いて、映像／音声／字幕／ＢＭＬを出力する。ステップＳ２５のバッファ重複処理が終了した時点で、ステップＳ２５と並行してステップＳ２６にて出力されていたバッファ内のデータが全て出力され、ステップＳ２７の、受信したデータを用いた映像・音声等の出力へとシームレスに移行する。【００４１】
なお、ステップＳ２３にて、切替え先のチャンネルが切替え前のチャンネルと同じサービスでないと判定された場合は、ステップＳ２８へ進み、制御部１４０は、バッファされていたデータおよび番組配列情報ＳＩを破棄（クリア）する。その後、図４のフローチャートで説明した選局処理が行なわれ（ステップＳ２９）、本発明の一実施例による受信装置１００による受信処理が終了する。【００４２】
ここで、図を用いて、本発明の一実施例による受信処理と、従来技術による受信処理を比較する。まず、従来技術による受信装置の受信処理を、図１０に示すフローチャートに基づき説明する。従来技術による受信装置は、デジタル放送を受信するアプリケーションを起動すると、ステップＳ４１にて、上述した図４の選局処理を行う。その後、ユーザからの切替え指示により、または、チャンネルスキャンなどの受信装置固有の機能によりチャンネルを切替えた場合（ステップＳ４２）、従来技術では、本発明による受信装置１００と異なり、ステップＳ４３にて、切替え前のチャンネルで受信したバッファ内のデータ（映像、音声等のデータ）および番組情報ＳＩが破棄（クリア）されてしまう。その後、ステップＳ４４にて、切替え先のチャンネルにおいて、図４の選局処理が行なわれる。このように従来技術では、切替え前後のチャンネルで放送しているサービスの内容に関係なく、切替え前のチャンネルで受信したデータは全て破棄され、切替え先のチャンネルへの選局処理が行なわれる。【００４３】
次に、本発明による受信処理が、チャンネルの切替え時における受信処理を従来技術と比べ速く実行できるという利点を、図を用いて説明する。図９は、あるデータが出力されるまでの所要時間を模式的に説明する図である。図の上段に示すように、データが出力されるまでには、ＮＩＴを受信するまでの待機時間、ＰＭＴを受信するまでの待機時間、ＩＤＲピクチャを受信するまでの待機時間、および受信したデータがＰＣＲで指定された表示時刻になるまでの待機時間を要する。図中の時間０［ｍｓ］において、チャンネルが切替わり、切替え先のチャンネルは、切替え前のチャンネルと同一のサービスを提供していたとする。この場合でも、図の下段に示すように、従来技術では、それまでに受信したＮＩＴやＰＭＴ等が破棄され、新たに、切替え先のチャンネルでＮＩＴ、ＰＭＴ等を受信する。この待機時間は、非特許文献１および２を参考にすると、部分受信階層のＮＩＴの再送周期が１秒、ＰＭＴの再送周期が２００ｍｓ、部分受信階層の映像のＩピクチャの送出周期を通常２秒としているため、通常、ＩＤＲを受信し終わるまでには最大３．２秒かかることになる。さらに、ＩＤＲを受信しても、ＰＣＲとＰＴＳから計算される表示時刻になるまで待機する必要がある。なお、図において表示待ちは１．２秒としているため、従来技術では、チャンネルを切替えたときから映像や音声などが出力されるまで４．４秒かかることになる。これに対し、図中段に示す本発明による手法では、チャンネルを切替えても、切替え前のチャンネルで受信済みのデータ、およびデコード済みのデータが利用される。図のように、切替え前のチャンネルで受信した、出力されるまでの時間が０．４秒のデコード済みのピクチャがあった場合は、０．４秒後に映像や音声を出力することができる。従って、従来手法に比べ、最大４秒早く映像等を出力することができる。表示待ちのピクチャがない場合でも、受信済みのデータがあれば、適切なデコード処理によって表示されるため、受信済みのデータが全て破棄される従来方法と比べ、データの表示時間が早いことは明らかである。【００４４】
本発明の効果を再度述べる。本発明によれば、受信中のチャンネルと同一のサービスを放送しているチャンネルに切替える際に、切替え前に既に受信してあるＰＭＴを利用して切替え先チャンネルのサービスのコンテンツを受信する。従って、当該切替え前に受信したＰＭＴを破棄し、新たに切替え先のチャンネルのＰＭＴを受信するのを待ってから切替え先チャンネルのサービスのコンテンツを受信する従来手法と比べ、切替え先のチャンネルへの選局処理（すなわち、サービスのコンテンツのユーザへの提供）を速くすることができる。また、本発明によれば、切替え先のチャンネルと同一のサービスを放送しており、切替える直前まで受信していたチャンネルのサービスのＰＭＴが使用される。従って、ＰＭＴが更新されていない可能性が低く信頼性が高い。さらに、本発明によれば、同じサービスであれば、切替え前のチャンネルのサービスで受信済みのデータを破棄せずに、切替え先のチャンネルのサービスでも使用するため、選局動作に伴うデータの欠損が少ない。このため、切替え先のサービスのコンテンツを表示し始める時間を、従来方法に比べて早くすることができる。加えて、切替え前のチャンネルで受信したデータと、切替え先のチャンネルで受信したデータ（音声・映像等のデータ）とが重複していれば、そのどちらか一方が破棄される。従って、映像音声が繰り返し出力されることがない。【００４５】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各部、各ステップなどに含まれる機能などは論理的に矛盾しないように再配置可能であり、複数の構成部やステップなどを１つに組み合わせたり、あるいは分割したりすることが可能である。【００４６】
例えば、本発明は、ＭＰＥＧ２−ＴＳの形式で提供されているサービス全てに適用することができる。すなわち、本発明を１セグメント放送につき説明したが、１２セグメント放送にも本発明を適用できることは明らかである。その場合、１セグメント放送の選局処理ではＰＭＴの受信にＮＩＴを用いたが、１２セグメント放送の場合は、ＰＡＴを受信し、そのＰＡＴに記述されている内容に基づきＰＭＴを取得すればよい。なお実施例では、チャンネルを切替えた際に、切替え前後のチャンネルのサービスが同一であるか否かを判定しているが、本発明はこれに限られるものではないことに留意されたい。例えば、あるチャンネルの放送波の圏外区域にユーザが移動した場合に、本発明による受信装置は、チャンネルテーブルに基づいて、切替え前のチャンネルと同一のサービスを放送している放送波に自動的に切替えることもできる。この場合に、本発明による受信装置は、映像等が途切れたりすることのない、ユーザビリティのよいシームレスなチャンネルの切替えが可能である。【００４７】
さらに、デジタル放送の受信装置で、ＩＰＴＶのようなネットワークを介した放送を受信することも考えられる。この場合に、デジタル放送の受信を放送波からネットワークを介するものに切替えた場合には、図７および図８に示すチャンネルテーブルを用いて、サービスとサービス識別子の対応に基づき、切替え前後のサービスの同一性を判定することができる。
【図１】
0005394248.tif 000002
【図２】
0005394248.tif 000003
【図３】
0005394248.tif 000004
【図４】
0005394248.tif 000005
【図５】
0005394248.tif 000006
【図６】
0005394248.tif 000007
【図７】
0005394248.tif 000008
【図８】
0005394248.tif 000009
【図９】
0005394248.tif 000010
【図１０】
0005394248.tif 000011
【図１１】
0005394248.tif 000012
【図１２】
0005394248.tif 000013
【図１３】
0005394248.tif 000014
【図１４】
0005394248.tif 000015